(57)【要約】      （修正有）【課題】ガソリンは、オクタン価、性状、組成等が異なる種々の基材を組合せ、オクタン価や蒸気圧の範囲に調整し、製造する。基材として接触改質ガソリン、接触分解ガソリン、ナフサ、ブタン等が挙げられるが、オクタン価が高く、低硫黄分であるイソペンタン留分源として石化Ｃ５ラフィネートと脱硫軽質ナフサ留分に着目し、簡素化された設備で効率的にイソペンタン留分を製造できる方法を提供する。【解決手段】石化Ｃ５ラフィネートと脱硫軽質ナフサ留分とを混合して混合留分を得る工程と、前記混合留分を精留する工程とを備えることを特徴とする。【選択図】図１
2011213899.tif 000002
【特許請求の範囲】
【請求項１】
石化Ｃ５ラフィネートと脱硫軽質ナフサ留分とを混合して混合留分を得る工程と、前記混合留分を精留する工程とを備えることを特徴とするガソリン基材用イソペンタン留分の製造方法。
【請求項２】
前記混合留分中のイソペンタン含有量が20〜40容量％の範囲であることを特徴とする請求項１に記載のガソリン基材用イソペンタン留分の製造方法。
【請求項３】
前記脱硫軽質ナフサ留分は、天然ガスコンデンセート由来であることを特徴とする請求項１に記載のガソリン基材用イソペンタン留分の製造方法。
【請求項４】
前記イソペンタン留分中のイソペンタン含有量が80容量％以上であることを特徴とする請求項１に記載のガソリン基材用イソペンタン留分の製造方法。
【発明の詳細な説明】
【技術分野】
【０００１】
本発明は、ガソリン基材用イソペンタン留分の製造方法に関し、特に、石化Ｃ５ラフィネートを原料として用い、簡素化された設備によって効率的に、ガソリン基材用イソペンタン留分を製造できる方法を提供しようとするものである。
【背景技術】
【０００２】
通常、ガソリンは、オクタン価、性状、組成等が異なる種々の基材（ガソリン基材）を組合せ、要求されるオクタン価や蒸気圧の範囲に調整することによって製造する。例えば、一般的なガソリン基材として、接触改質ガソリン、接触分解ガソリン、ナフサ、ブタン等が挙げられる。
【０００３】
そして、上記のガソリン基材の中でも、環境対応などの観点から、オクタン価が高く、低硫黄分であるイソペンタン留分をガソリン基材として用いることが知られている。例えば特許文献１では、リサーチ法オクタン価101.5以上、リード蒸気圧0.3kg／cm2以上、沸点範囲30〜200℃である改質ガソリン、アルキレート及び、リサーチ法オクタン価90〜95のイソペンタン留分を必須成分とし、リサーチ法オクタン価99.5以上、モーター法オクタン価88.6以上、芳香族分50容量％以下、70℃までの留出分が25容量％以上である高性能燃料油（ガソリン）が開示されている。また、特許文献２では、一酸化炭素と水素の混合ガスをフィッシャー・トロプシュ触媒及び水素化分解・異性化触媒に接触して得られたＡＧＴＬガソリンと、アルキレートガソリンとを含み、さらに、液化石油ガス、イソペンタン、脱硫直留ナフサ、接触改質ガソリン、脱硫接触改質ガソリンよりなる群から選択される１種以上の基材を含む、蒸気圧が65kPa以下、リサーチ法オクタン価が91以上、硫黄分が1質量ppm以下、銀板腐食が１以下、蒸留性状の50容量％留出温度が95℃以下、アロマ分が１容量％以下、オレフィン分が1容量％以下、及び水素／炭素比（mol）が2.3以上であるガソリン組成物が開示されている。
【０００４】
また、石油化学由来の留分を有効利用する観点から、石油化学由来のラフィネート（以下、「石化ラフィネート」という。）を原料として用いたガソリン基材の製造が望まれている。例えば特許文献３では、石化Ｃ６〜Ｃ８ラフィネートを異性化処理装置によって処理し、オクタン価の高いガソリン基材を製造する方法が開示されている。
【０００５】
さらに、石化Ｃ５ラフィネートについても、石化Ｃ６〜Ｃ８ラフィネートと同様に、ガソリン基材の留分として用いられることが望まれている。しかしながら、従来の石化Ｃ５ラフィネートの用途については、石化Ｃ４ラフィネート留分と反応させてプロピレンを製造したり、そのまま加熱炉の燃料などとして燃やしたりする用途に限られていた。
【先行技術文献】
【特許文献】
【０００６】
【特許文献１】特開昭６３−３１７５９１号公報
【特許文献２】特開２００７−１６０９０号公報
【特許文献３】特開２００６−１１１７５４号公報
【発明の開示】
【発明が解決しようとする課題】
【０００７】
本発明は、ガソリン基材用イソペンタン留分を、石化Ｃ５ラフィネートを原料として用い、簡素化された設備によって効率的に製造できる方法を提供することを目的とする。
【課題を解決するための手段】
【０００８】
本発明者らは、上記課題について鋭意研究を重ねた結果、石化Ｃ５ラフィネートと脱硫軽質ナフサ留分とを混合する工程によって、石化Ｃ５ラフィネートを原料として用いた混合留分を得ることができ、さらに、前記混合留分を精留する工程によって、混合留分中の脱硫軽質ナフサ留分及び石化Ｃ５ラフィネートの精留を一つのプロセスで行えるため、簡素化された設備によって効率的にイソペンタン留分を製造できることを見出した。
【０００９】
本発明は、このような知見に基づきなされたもので、その要旨は以下の通りである。
（１）石化Ｃ５ラフィネートと脱硫軽質ナフサ留分とを混合して混合留分を得る工程と、前記混合留分を精留する工程とを備えることを特徴とするガソリン基材用イソペンタン留分の製造方法。
【００１０】
（２）前記混合留分中のイソペンタン含有量が20〜40容量％の範囲であることを特徴とする上記（１）に記載のガソリン基材用イソペンタン留分の製造方法。
【００１１】
（３）前記脱硫軽質ナフサ留分は、天然ガスコンデンセート由来であることを特徴とする上記（１）に記載のガソリン基材用イソペンタン留分の製造方法。
【００１２】
（４）前記イソペンタン留分中のイソペンタン含有量が80容量％以上であることを特徴とする上記（１）に記載のガソリン基材用イソペンタン留分の製造方法。
【発明の効果】
【００１３】
本発明によれば、高いイソペンタン含有量を有するガソリン基材用イソペンタン留分を、石化Ｃ５ラフィネートを原料として用い、簡素化された設備によって効率的に製造できる。
【図面の簡単な説明】
【００１４】
【図１】本発明によるイソペンタン留分の製造装置の一実施形態について模式的に示した図である。
【発明を実施するための形態】
【００１５】
以下、本発明の詳細について説明する。
本発明に従うイソペンタン留分の製造方法は、石化Ｃ５ラフィネートと脱硫軽質ナフサ留分とを混合して混合留分を得る工程と、前記混合留分を精留する工程とを備えることを特徴とする。
【００１６】
石化Ｃ５ラフィネートと脱硫軽質ナフサ留分とを混合して混合留分を得る工程により、石化Ｃ５ラフィネートをイソペンタン留分の原料として有効利用することが可能となり、さらに、前記混合留分を精留する工程によって、混合留分中の脱硫軽質ナフサ留分及び石化Ｃ５ラフィネートの精留を一つのプロセスで行える結果、高いイソペンタン含有量を有するイソペンタン留分を、簡素な設備で効率的に製造できる。加えて、前記精留工程において副生される石化ナフサ留分は、石化原料として利用することが可能となる。
【００１７】
さらにまた、前記イソペンタン留分の原料となるＣ５ラフィネート及び脱硫軽質ナフサ留分に含まれる硫黄分は、副生される石化ナフサ留分とともにイソペンタンの精留装置（図１ではイソペンタン分離装置１００）から留出するため、前記イソペンタン留分の硫黄分が低い（具体的には、0.5質量ppm以下である）点においても効果がある。
【００１８】
ここで、図１は、本発明によるイソペンタン留分の製造装置の一実施形態について模式的に示したものである。図１から、石化Ｃ５ラフィネート１０と脱硫軽質ナフサ留分２０とを混合し、イソペンタン分離装置１００によって、混合留分の精留を行うことで、イソペンタン留分４０及び石化ナフサ留分５０が得られ、製造工程は比較的簡素な設備（図１では、イソペンタン分離装置１００及び脱硫ナフサスプリッタ２００のみ）により行われることがわかる。Ｃ５ラフィネート用と軽質ナフサ留分用の２つのイソペンタン分離装置を備える必要が無い。
【００１９】
本発明によるイソペンタン留分の原料である石化Ｃ５ラフィネートは、石化プラントにおいて、エチレン、プロピレン等を生産する際に副生するＣ５留分から、イソプレンを抽出した残りの留分のことである。また、Ｃ５ラフィネートは、主に炭素数が５の炭化水素からなり、一般的に、Ｃ５のパラフィン分を約55〜85容量％程度含有し、Ｃ５オレフィン分を約10〜35容量％程度含有する。
【００２０】
なお、前記Ｃ５ラフィネートは、オクタン価の高いイソペンタン（ＲＯＮ：92.3）を含有する一方で、オクタン価の低いノルマルペンタン（ＲＯＮ：61.7）を含有するため、Ｃ５ラフィネート全体としてのオクタン価は低く（ＲＯＮ：70〜85程度）、そのままガソリン基材として用いることはできない。そのため、従来Ｃ５ラフィネートの利用法としては、単に燃料として利用したり、石化プラントにおいて、水添処理した後にナフサと混合しエチレン、プロピレンの原料として再度利用される程度に過ぎず、イソペンタン留分の原料として用いられることはなかった。
【００２１】
また、前記石化Ｃ５ラフィネートと混合する脱硫軽質ナフサ留分は、原油を常圧蒸留して得られるホールナフサ留分又は天然ガスコンデンセートを分留して得られるホールナフサ留分を、水素化脱硫処理して脱硫ナフサ留分とした後、該脱硫ナフサ留分を分留して得られる軽質留分のことである。主にＣ５〜Ｃ６パラフィンからなり、沸点が30〜140℃程度、密度が0.64〜0.70g／cm3程度、イソペンタン含有量が20〜35容量％程度である。
【００２２】
前記水素化脱硫の条件（装置、運転条件、触媒等）については、特に限定はされない。また、前記脱硫ナフサ留分の分留についても特に限定はされないが、例えば図１に示すように、脱硫ナフサスプリッタ２００を用いて、脱硫ナフサ留分３０中の軽質留分（脱硫軽質ナフサ留分２０）と重質留分（脱硫重質ナフサ留分６０）とを分離することができる。
【００２３】
さらに、前記脱硫軽質ナフサ留分は、天然ガスコンデンセート由来であることが好ましい。天然ガスコンデンセートは、ホールナフサ留分の得率が一般的な原油に比べて2〜3倍程度高いからである。
【００２４】
また、前記石化Ｃ５ラフィネートと前記脱硫軽質ナフサ留分との混合の条件については、確実に混合留分が得られる方法であれば特に限定はしない。例えば、前記石化Ｃ５ラフィネートの配管と前記脱硫軽質ナフサ留分を留出する配管とを結合することで、配管中で混合を行うことができる。
【００２５】
さらに、前記石化Ｃ５ラフィネートと前記脱硫軽質ナフサ留分との混合割合については、脱硫ナフサ留分の分留装置の能力、イソペンタン留分の分離装置の能力、装置の稼動状況等によって、種々の条件とすることができるが、効率的に所望のイソペンタン留分を得ることができる点から、前記混合留分中のイソペンタン含有量が20〜40容量％の範囲となるように混合することが好ましい。
【００２６】
また、前記混合留分の精留については、イソペンタン含有量が高いイソペンタン留分を得ることができる方法であれば、詳細な条件（装置や運転条件など）については特に限定はしない。例えば、図１に示すイソペンタン分離装置１００として、段数の多い精密蒸留装置等を用いて行うことができる。
【００２７】
さらに、前記精留によって得られるイソペンタン留分は、大気圧よりも蒸気圧が高い（130〜145kPa程度）ため、精留効率の点から、100〜200ｋPa程度加圧した状態で前記精留を行うことが好ましい。
【００２８】
また、本発明によって得られたイソペンタン留分は、高オクタン価のイソペンタンを高濃度で含有するため、ガソリン基材として好適に用いることができる。
【００２９】
前記イソペンタン留分中のイソペンタン含有量は、80容量％以上であることが好ましい。高いオクタン価を有するため、ガソリン基材として用いられた場合に優れた耐ノック性を発揮することができるからである。一方、イソペンタン含有量が80容量％未満の場合、高オクタン価ガソリン基材として十分なオクタン価を有することができないおそれがある。
【００３０】
さらに、前記イソペンタン留分は、上述したように大気圧よりも蒸気圧が高いため、ＬＰガス用高圧タンクに貯蔵することが好ましい。なお、前記イソペンタン留分と、分解ガソリン留分又は改質ガソリン留分とを留出配管内で混合して、混合したガソリン基材の蒸気圧を大気圧以下に制御した場合には、通常のタンクでも貯蔵が可能となる。
【００３１】
また、前記混合留分の精留によって、前記イソペンタン留分とともに得られる石化ナフサ留分は、ノルマルペンタン成分が濃縮されており、エチレンの原料として好適に有効利用できる。エチレン分解装置を使用する場合にエチレン収率が低く、コーキング反応等を引き起こすおそれがあるイソペンタンが分離されているからである。
【００３２】
上述したところは、この発明の実施形態の一例を示したにすぎず、請求の範囲の記載に応じて種々の変更を加えることができる。
【実施例】
【００３３】
以下の工程に従って、イソペンタン留分を製造した。
（１）表１に示す性状の石化Ｃ５ラフィネートを準備した。
（２）また、図１に示すように、天然ガスコンデンセートを蒸留して得られるホールナフサ留分を水素化脱硫処理した脱硫ナフサ留分３０を、脱硫ナフサスプリッタ２００を用いて分留することで、脱硫軽質ナフサ留分２０を得た。その性状については表２に示す。
（３）その後、前記石化Ｃ５ラフィネートと脱硫軽質ナフサ留分とを、それぞれの留出配管を結合することによって混合して、混合留分を得た。なお、前記石化Ｃ５ラフィネートと脱硫軽質ナフサ留分との混合比（容量比）は、25：75である。
（４）その後、図１に示すように、多段式の精密分留装置（イソペンタン分離装置１００）を用い、塔頂圧を約200kPaに加圧した状態で、前記混合留分を精留し、サンプルとなるイソペンタン留分４０を得た。なお、得られたイソペンタン留分の性状は表３に示す。
【００３４】
【表１】
2011213899.tif 000003
【００３５】
【表２】
2011213899.tif 000004
【００３６】
【表３】
2011213899.tif 000005
【００３７】
表１〜３の結果から、本発明の実施例では、石化Ｃ５ラフィネートを原料として有効利用でき、さらに、簡素化された設備によって効率的に、イソペンタン含有量の高い（90.6容量％）ガソリン基材用のイソペンタン留分を製造できたことがわかる。
【産業上の利用可能性】
【００３８】
本発明によれば、石化Ｃ５ラフィネートを原料として用い、簡素化された設備によって効率的にガソリン基材用イソペンタン留分を製造できる方法の提供が可能となる。
【符号の説明】
【００３９】
１０    石化Ｃ５ラフィネート
２０    脱硫軽質ナフサ留分
３０    脱硫ナフサ留分
４０    イソペンタン留分
５０    石化ナフサ留分
６０    脱硫重質ナフサ留分
１００  イソペンタン分離装置
２００  脱硫ナフサスプリッタ
【図１】
2011213899.tif 000006